(57)【要約】      （修正有）【課題】パーティ会場等の多数の人々が集合する場所において、目的の人と会おうとする時、その呼び出しが的確に伝達されるようにしたネームプレートを提供する。【解決手段】ネームプレート６に付着するネームプレート装着具１は少なくとも本体内に特定された固有の無線信号を受信する受信器を備え、その受信器による信号受信により、発光素子４、鳴動素子もしくは振動素子等の感知部材が作動することとし、発光素子として複数のＬＥＤを用い、そのＬＥＤを上端縁に並設させてあることとし、本体内の受信器は薄型の基板に搭載されたＣＰＵを有していることとする。【選択図】図２
2007199317.tif 000002
【特許請求の範囲】
【請求項１】
少なくとも本体内に特定された固有の無線信号を受信する受信器を備え、その受信器による信号受信により、発光素子、鳴動素子もしくは振動素子等の感知部材が作動することを特徴とするネームプレート装着具。
【請求項２】
前記した発光素子として複数のＬＥＤを用い、そのＬＥＤを上端縁に並設させてあることを特徴とする請求項１に記載のネームプレート装着具。
【請求項３】
前記した受信器に対して無線信号を送る送信器は対象に応じて異なったコードを有する信号を発するものとし、変換ケーブルによりパーソナルコンピュータ等の操作盤に接続されていることを特徴とする請求項１または請求項２に記載のネームプレート装着具。
【請求項４】
前記した本体は平板状に形成され、少なくともその一部にネームプレートのホルダーを備えていることを特徴とする請求項１、請求項２または請求項３に記載のネームプレート装着具。
【請求項５】
前記した本体内の受信器は薄型の基板に搭載されたＣＰＵを有していることを特徴とする請求項１、請求項２、請求項３または請求項４に記載のネームプレート装着具。
【発明の詳細な説明】
【技術分野】
【０００１】
本発明はネームプレート装着具、特に各種パーティ、会議場、展示場等多数の人々が集合する場所で、その参加者、関係者が着衣の一部に装着する氏名、社名、所属部署等を表記したネームプレートを装着するためのネームプレート装着具に関する。
【背景技術】
【０００２】
一般的に、上記した目的のネームプレート（名札）は透明のプラスチックケース等に入れられ、ストラップで首から吊り下げたり、着衣の胸部に安全ピンやクリップ等を用いて止着されるように構成されている。
【０００３】
しかしながら、前記した多数の人々が集まっている場所で面会を希望する相手を呼び出してもらう時には、場内放送が使われる場合が多いが、周囲の雑音に影響されたり、該相手が面談中の場合等聞きそびれてその呼び出しに気が付かず、目的を達することができない事が多かった。
【特許文献１】特開平７−５８４２号公報
【発明の開示】
【発明が解決しようとする課題】
【０００４】
本発明が解決しようとする問題点は、従来、パーティ会場等の多数の人々が集合する場所において、目的の人と会おうとする時、その呼び出しが的確に伝達されることが少なく、希望する面会が達成できない場合が多かったという点である。
【課題を解決するための手段】
【０００５】
この問題点を解決するために、本発明は各人が付けるネームプレート装着具に前記した呼び出し機能を保有させることとし、その本発明に係るネームプレート装着具は少なくとも本体内に特定された固有の無線信号を受信する受信器を備え、その受信器による信号受信により、発光素子、鳴動素子もしくは振動素子等の感知部材が作動することを特徴とし、前記した発光素子として複数のＬＥＤを用い、そのＬＥＤを上端縁に並設させてあることを特徴としている。
【０００６】
また、本発明に係るネームプレート装着具は前記した受信器に対して無線信号を送る送信器は対象に応じて異なったコードを有する信号を発するものとし、変換ケーブルによりパーソナルコンピュータ等の操作盤に接続されていることを特徴とし、前記した本体は平板状に形成され、少なくともその一部にネームプレートのホルダーを備えていることを特徴とし、前記した本体内の受信器は薄型の基板に搭載されたＣＰＵを有していることを特徴としている。
【発明の効果】
【０００７】
本発明に係るネームプレート装着具は上記のように構成されている。そのため、そのネームプレート装着具を装着し、送信器からの特定呼び出し信号を受信すると、発光素子、鳴動素子、振動素子等が作動して自分が呼び出しを受けていることを確実に認識することができる。この呼び出しは個人のみならずグループごとになすことも可能となり、多数の中から確実に相手を選定し、目的とする面会を行なうことが可能となる。
【０００８】
また、本発明に係るネームプレート装着具は違和感がなく、軽量のものとできるので、装着していても負担はなく、仮に装着者自身が気が付かなくとも、その周囲の何人かが必ず気付き、その旨を告知してくれることとなるものである。
【発明を実施するための最良の形態】
【０００９】
図面として示す実施例のように構成することで実現した。
【実施例１】
【００１０】
次に、本発明の好ましい実施の一例を図面を参照して説明する。図１は本発明を実施したネームプレート装着具を示す正面図、図２は同じくネームプレートケースを付着した状態の側面図である。
【００１１】
これらの図にあって１はネームプレート装着具本体を示しており、このネームプレート装着具本体１は軽量化と製作の容易性からプラスチックを素材として成形され、厚さは略３ｍｍ〜７ｍｍ程度、高さは全体で３０ｍｍ〜４０ｍｍ程度、幅は略１００ｍｍ程度のものとされる。
【００１２】
このネームプレート装着具本体１は中空構造となっており、その内部に格別に図示しない薄型の回路基板が収納され、この回路基板上には後述する特定された無線信号を受信するＣＰＵが搭載されている。
【００１３】
また、このネームプレート装着具本体１は本実施例にあっては前記したように横長の構成としてあり、この略中央下縁には半円板状の突出部２が形成され、その突出部２内に電源となる薄型のバッテリー３が交換自在に収納されている。尚、このネームプレート装着具本体１としての形状はこれにこだわるものではなく、前記した基板の大きさ等に対応して自在に変更できるものである。
【００１４】
さらに、このネームプレート装着具本体１の裏面にはクリップや安全ピン等の止着部材が付設され、装着者はその止着部材により、着衣の胸部等にこのネームプレート装着具本体１を装着することとなる。
【００１５】
このネームプレート装着具本体１は本実施例にあって上縁にＬＥＤ４、４‥を適宜間隔を隔てて複数個並設してあり、前記したＣＰＵ等により特定の無線信号が受信されると点灯し、その受信を装着者に知らしめることができるようになっている。また、このＬＥＤ４、４‥のほか、このネームプレート装着具本体１は突出部２内にブザー５も収納してあり、音響としてもその受信を知らしめることができることとしている。尚、このほか、バイブレーションも内蔵させ、振動での受信告知も行なえるようにすることもできる。
【００１６】
そして、このネームプレート装着具本体１の表面にはネームプレートケース６が付着される。この付着はフック等を用いたり、吊り下げや嵌着あるいは面状ファスナー等を用いることもできる。ここでネームプレートケース６はネームプレートを挟持するような上面開口したものを想定しているが、単なるバーや板体のみとしてそこにネームプレートをシンプルに保持させるような構成とすることも可能である。
【００１７】
一方、この受信機能を備えたネームプレート装着具本体１に対して送信を行なう送信器は各ネームプレート装着具本体１ごと、あるいはグループごとに割り振りされたコード等を乗せた特定の無線信号を発信するものとし、その送信器を変換ケーブルを介してパーソナルコンピュータ等の操作盤に接続し、送信するためのソフトウェアを用いてなされるものとする。即ち、この送信機能を用いると、特定の対象に対してのみ無線信号が送信され、その対象となるネームプレート装着具本体１を装着している者のみがその無線信号を受信し、呼び出しを受けていることが解ることとなる。
【産業上の利用可能性】
【００１８】
本発明は上述したように不特定多数のネームプレートを付けた人々の中から特定の個人やグループを呼び出すためのものであるから、学校、研修所、合宿所、また各々会社内、工場内、スポーツ競技場等にあっても幅広く応用実施することが可能なものとなっている。
【図面の簡単な説明】
【００１９】
【図１】本発明を実施したネームプレート装着具を示す正面図である。
【図２】ネームプレートケースを付着した状態の側面図である。
【符号の説明】
【００２０】
１    ネームプレート装着具本体
２    突出部
３    バッテリー
４    ＬＥＤ
５    ブザー
６    ネームプレートケース
【図１】
2007199317.tif 000003
【図２】
2007199317.tif 000004